(57)【要約】      （修正有）【課題】光伝送ネットワークにおける経路開通に掛かる時間を短縮したネットワーク制御装置を提供する。【解決手段】自装置が管理する光伝送装置に含まれる複数の光減衰器の各々における減衰量を調整させるネットワーク制御装置であって、開通する経路における光信号を終端する光伝送装置が有する第１光減衰器において光信号を遮断させる指示を行う第１指示部と、第１光減衰器における光信号が遮断された状態で、第１光減衰器を有する光伝送装置以外の経路上の光伝送装置が有する第２光減衰器の減衰量を所定値に設定させる指示を行う第２指示部と、第２光減衰器において所定値の減衰量が設定された状態で、第１光減衰器における減衰量を調整させる指示を行う第３指示部とを有する。【選択図】図１８
2018164127.tif 000002
【特許請求の範囲】
【請求項１】
自装置が管理する光伝送装置に含まれる複数の光減衰器の各々における減衰量を調整させるネットワーク制御装置であって、
開通する経路における光信号を終端する光伝送装置が有する第１光減衰器において光信号を遮断させる指示を行う第１指示部と、
前記第１光減衰器における前記光信号が遮断された状態で、前記第１光減衰器を有する光伝送装置以外の前記経路上の光伝送装置が有する第２光減衰器の減衰量を所定値に設定させる指示を行う第２指示部と、
前記第２光減衰器において前記所定値の減衰量が設定された状態で、前記第１光減衰器における減衰量を調整させる指示を行う第３指示部と
を有するネットワーク制御装置。
【請求項２】
更に、
前記所定値に設定された前記第２減衰器の前記減衰量の修正を順次指示すると共に、当該修正において当該減衰量を増加させる場合に前記第１光減衰器における前記減衰量の減少を指示し、当該修正において当該減衰量を減少させる場合に前記第１光減衰器における前記減衰量の増加を指示する調整部
を有する請求項１記載のネットワーク制御装置。
【請求項３】
自装置が管理する光伝送装置に含まれる複数の光減衰器の各々における減衰量を調整させるネットワーク制御装置により実行されるネットワーク制御方法であって、
開通する経路における光信号を終端する光伝送装置が有する第１光減衰器において光信号を遮断させる指示を行い、
前記第１光減衰器における前記光信号が遮断された状態で、前記第１光減衰器を有する光伝送装置以外の前記経路上の光伝送装置が有する第２光減衰器の減衰量を所定値に設定させる指示を行い、
前記第２光減衰器において前記所定値の減衰量が設定された状態で、前記第１光減衰器における減衰量を調整させる指示を行う
処理を含むネットワーク制御方法。
【請求項４】
自装置が管理する光伝送装置に含まれる複数の光減衰器の各々における減衰量を調整させるネットワーク制御装置に、
開通する経路における光信号を終端する光伝送装置が有する第１光減衰器において光信号を遮断させる指示を行い、
前記第１光減衰器における前記光信号が遮断された状態で、前記第１光減衰器を有する光伝送装置以外の前記経路上の光伝送装置が有する第２光減衰器の減衰量を所定値に設定させる指示を行い、
前記第２光減衰器において前記所定値の減衰量が設定された状態で、前記第１光減衰器における減衰量を調整させる指示を行う
処理を実行させるネットワーク制御プログラム。
【発明の詳細な説明】
【技術分野】
【０００１】
本発明は、光伝送ネットワークにおける経路開通を制御する技術に関する。
【背景技術】
【０００２】
波長分割多重（ＷＤＭ：Wavelength Division Multiplexing）を利用する光伝送ネットワークでは、波長の異なる複数の光信号を多重化して伝送する。このような光伝送ネットワークで、送信側の光伝送装置から中継の光伝送装置を介して受信側の光伝送装置へ光信号を伝送する経路を設ける場合、各光伝送装置の可変光減衰器で光信号のパワーを調整することによって伝送状態を安定させる。
【０００３】
但し、各光伝送装置の可変光減衰器における調整を同時に行うと、光のオーバーシュートが原因となって規定外の強さの光信号が光受信機に到達し、光受信機が破損することがある。また、光信号の発振が原因となって光信号の制御が不安定化することもある。
【０００４】
これらの障害を回避するために、送信側から受信側へ向かって可変光減衰器を１つずつ調整する方法が採られることがある。但し、この方法では、段階的に調整が行われるため、全体として開通するまでに時間が掛かる。
【先行技術文献】
【特許文献】
【０００５】
【特許文献１】特開２００８−２０５９０９号公報
【特許文献２】特開２００４−０４０４３７号公報
【発明の概要】
【発明が解決しようとする課題】
【０００６】
本発明の目的は、一側面では、光伝送ネットワークにおける経路開通を早めることである。
【課題を解決するための手段】
【０００７】
一態様に係るネットワーク制御装置は、自装置が管理する光伝送装置に含まれる複数の光減衰器の各々における減衰量を調整させるネットワーク制御装置であって、（Ａ）開通する経路における光信号を終端する光伝送装置が有する第１光減衰器において光信号を遮断させる指示を行う第１指示部と、（Ｂ）第１光減衰器における光信号が遮断された状態で、第１光減衰器を有する光伝送装置以外の経路上の光伝送装置が有する第２光減衰器の減衰量を所定値に設定させる指示を行う第２指示部と、（Ｃ）第２光減衰器において所定値の減衰量が設定された状態で、第１光減衰器における減衰量を調整させる指示を行う第３指示部とを有する。
【発明の効果】
【０００８】
一側面としては、光伝送ネットワークにおける経路開通を早めることができる。
【図面の簡単な説明】
【０００９】
【図１】図１は、光伝送ネットワークの構成例を示す図である。
【図２】図２は、制御ネットワークの構成例を示す図である。
【図３】図３は、送信動作に関するＷＤＭ光伝送装置のハードウエア構成例を示す図である。
【図４】図４は、中継動作に関するＷＤＭ光伝送装置のハードウエア構成例を示す図である。
【図５】図５は、受信動作に関するＷＤＭ光伝送装置のハードウエア構成例を示す図である。
【図６】図６は、可変光減衰器の調整を開始する前の状態を示す図である。
【図７】図７は、従来技術による可変光減衰器の調整方式の概要を示す図である。
【図８】図８は、従来技術による可変光減衰器の調整方式の概要を示す図である。
【図９】図９は、従来技術による可変光減衰器の調整方式の概要を示す図である。
【図１０】図１０は、従来技術による可変光減衰器の調整方式の概要を示す図である。
【図１１】図１１は、可変光減衰器の調整が終了した状態を示す図である。
【図１２】図１２は、本実施の形態による可変光減衰器の調整方式の概要を示す図である。
【図１３】図１３は、本実施の形態による可変光減衰器の調整方式の概要を示す図である。
【図１４】図１４は、本実施の形態による可変光減衰器の調整方式の概要を示す図である。
【図１５】図１５は、本実施の形態による可変光減衰器の調整方式の概要を示す図である。
【図１６】図１６は、本実施の形態による可変光減衰器の調整方式の概要を示す図である。
【図１７】図１７は、本実施の形態による可変光減衰器の調整方式の概要を示す図である。
【図１８】図１８は、ＳＤＮ（Software-Defined Networking）コントローラーのモジュール構成例を示す図である。
【図１９】図１９は、メイン処理フローを示す図である。
【図２０】図２０は、経路テーブルの例を示す図である。
【図２１】図２１は、データ収集処理フローを示す図である。
【図２２】図２２は、減衰器テーブルの例を示す図である。
【図２３】図２３は、データ収集処理フローを示す図である。
【図２４】図２４は、ＷＤＭ光伝送装置のモジュール構成例を示す図である。
【図２５】図２５は、ＷＤＭ光伝送装置におけるデータ提供処理（Ａ）フローを示す図である。
【図２６】図２６は、ＷＤＭ光伝送装置におけるデータ提供処理（Ｂ）フローを示す図である。
【図２７】図２７は、ＷＤＭ光伝送装置におけるデータ提供処理（Ｃ）フロー例を示す図である。
【図２８】図２８は、ＷＤＭ光伝送装置における最大値設定処理フローを示す図である。
【図２９】図２９は、ＷＤＭ光伝送装置における初期値設定処理フローを示す図である。
【図３０】図３０は、ＷＤＭ光伝送装置におけるフィードバック制御処理フローを示す図である。
【図３１】図３１は、順次調整処理フローを示す図である。
【図３２】図３２は、ＷＤＭ光伝送装置における実測値応答処理フローを示す図である。
【図３３】図３３は、第１パワー調整処理フローを示す図である。
【図３４】図３４は、第１パワー調整処理フローを示す図である。
【図３５】図３５は、第２パワー調整処理フローを示す図である。
【図３６】図３６は、第２パワー調整処理フローを示す図である。
【図３７】図３７は、コンピュータの機能ブロック図である。
【発明を実施するための形態】
【００１０】
図１に、光伝送ネットワークの構成例を示す。光伝送ネットワークのノードには、ＷＤＭ光伝送装置１０１ａ乃至１０１ｇが設けられる。ＷＤＭ光伝送装置１０１の間は、光ファイバを用いる光伝送路で接続している。この例では、送信元のＷＤＭ光伝送装置１０１ａから、ＷＤＭ光伝送装置１０１ｂ及びＷＤＭ光伝送装置１０１ｄを介して、受信先のＷＤＭ光伝送装置１０１ｇに所定周波数の光信号を伝える経路を開通させることを想定する。
【００１１】
図２に示すように、ＷＤＭ光伝送装置１０１ａ乃至１０１ｇは、夫々制御ネットワークを介してＳＤＮコントローラー２０１に接続している。ＳＤＮコントローラー２０１は、ＷＤＭ光伝送装置１０１ａ乃至１０１ｇを制御する。この例では、ＳＤＮコントローラー２０１は、上記経路を開通させるように、ＷＤＭ光伝送装置１０１ａ、ＷＤＭ光伝送装置１０１ｂ、ＷＤＭ光伝送装置１０１ｄ及びＷＤＭ光伝送装置１０１ｇを制御する。
【００１２】
続いて、ＷＤＭ光伝送装置１０１のハードウエア構成について説明する。図３に、送信動作に関するＷＤＭ光伝送装置１０１のハードウエア構成例を示す。ここでは、送信ノードとして動作するＷＤＭ光伝送装置１０１ａの例について説明する。光送受信機３０１ａ乃至光送受信機３０１ｃは、光送信機及び光受信機として動作する。この例では、光送受信機３０１ａが開通対象の経路で使用される周波数の光信号を送出する。尚、光送受信機３０１ｂ及び３０１ｃは、光送受信機３０１ａと異なる周波数の光信号を送出しているものとする。
【００１３】
光合分波器３０３ａは、光信号の合波及び分波を行う。この例では、光送受信機３０１ａ乃至３０１ｃから送出される光信号が多重化される。多重化された光信号は、波長選択スイッチ３０５ａに導かれる。波長選択スイッチ３０５ａは、光信号を分岐させ、光信号の伝送先を切り替える。この例で、光送受信機３０１ａから送出された光信号は、光アンプ３０９に伝送される。光アンプ３０９は、多重化された光信号をまとめて増幅する。増幅された多重信号は、出力ポート３１１ａを介して光伝送路へ出力される。この例において、出力ポート３１１ａは、光伝送路を介してＷＤＭ光伝送装置１０１ｂと接続しているものとする。
【００１４】
波長選択スイッチ３０５ａは、光信号を選択的に減衰させる可変光減衰器３０７を有している。多重化された光信号のパワーを均一化するために、複数の可変光減衰器３０７が設けられている。この例では、開通対象の経路で伝送される光信号のパワーを、可変光減衰器３０７ａにおいて減衰させるものとする。可変光減衰器３０７は、設定された減衰量（単位は、デシベル）に応じて光信号を減衰させる。減衰量は、入力される光信号のパワーに対する減衰されたパワーの比である。従って、減衰比或いは減衰率ということもある。光パワーモニタ３１３ａは、波長選択スイッチ３０５ａから出力される光信号のパワーを検出する。
【００１５】
ＷＤＭ光伝送装置１０１ａは、ＣＰＵ（Central Processing Unit）３１５ａ、メモリ３１７ａ及び通信制御部３１９ａを有している。ＣＰＵ３１５ａは、メモリ３１７ａに記憶されているプログラムを実行することによって、所定の機能を実現する。通信制御部３１９ａは、制御ネットワークを介した通信を制御する。
【００１６】
図４に、中継動作に関するＷＤＭ光伝送装置１０１のハードウエア構成例を示す。ここでは、中継ノードとして動作するＷＤＭ光伝送装置１０１ｂの例について説明する。ＷＤＭ光伝送装置１０１ａから伝送された光信号が、入力ポート４０１ａにおいて入力され、光アンプ３０９ｂにおいて増幅される。増幅された光信号は、波長選択スイッチ３０５ｂにおいて分岐される。この例で、開通対象の経路で伝送される光信号は、波長選択スイッチ３０５ｂの可変光減衰器３０７ｂで減衰されるものとする。減衰された光信号は、次のノードと連結する出力ポート３１１ｂに繋がる波長選択スイッチ３０５ｃに振り分けられる。尚、波長選択スイッチ３０５ｂから出力される光信号のパワーは、光パワーモニタ３１３ｂで検出される。
【００１７】
波長選択スイッチ３０５ｃは、開通対象の経路で伝送される光信号を、出力ポート３１１ｂの手前にある光アンプ３０９ｃに振り分ける。このとき、波長選択スイッチ３０５ｃの可変光減衰器３０７ｃにおいて、当該光信号が減衰される。波長選択スイッチ３０５ｃから出力される光信号のパワーは、光パワーモニタ３１３ｃで検出される。
【００１８】
光アンプ３０９ｃは、多重化された光信号を増幅する。増幅された多重信号は、出力ポート３１１ｂを介して光伝送路へ出力される。この例において、出力ポート３１１ｂは、光伝送路を介してＷＤＭ光伝送装置１０１ｄと接続しているものとする。
【００１９】
ＷＤＭ光伝送装置１０１ｂは、ＣＰＵ３１５ｂ、メモリ３１７ｂ及び通信制御部３１９ｂを有している。ＣＰＵ３１５ｂは、メモリ３１７ｂに記憶されているプログラムを実行することによって、所定の機能を実現する。通信制御部３１９ｂは、制御ネットワークを介した通信を制御する。
【００２０】
ＷＤＭ光伝送装置１０１ｄの構成は、ＷＤＭ光伝送装置１０１ｂと同様である。ＷＤＭ光伝送装置１０１ｄは、光伝送路を介してＷＤＭ光伝送装置１０１ｇに向けて光信号を出力する。
【００２１】
図５に、受信動作に関するＷＤＭ光伝送装置１０１のハードウエア構成例を示す。ここでは、受信ノードとして動作するＷＤＭ光伝送装置１０１ｇの例について説明する。ＷＤＭ光伝送装置１０１ｄから伝送された光信号が、入力ポート４０１ｂにおいて入力され、光アンプ３０９ｄにおいて増幅される。増幅された光信号は、波長選択スイッチ３０５ｄにおいて分岐される。この例で、開通対象の経路で伝送される光信号は、波長選択スイッチ３０５ｄの可変光減衰器３０７ｄで減衰されるものとする。減衰された光信号は、光合分波器３０３ｂに導かれる。尚、当該光信号は、光パワーモニタ３１３ｄで検出される。
【００２２】
光合分波器３０３ｂは、波長選択スイッチ３０５ｄで分岐された多重化信号を分波する。そして、光受信機として動作する光送受信機３０１ｄ乃至光送受信機３０１ｆが分波された光信号を受信する。この例では、開通対象の経路で伝送される光信号を光送受信機３０１ｄで受信するものとする。
【００２３】
ＷＤＭ光伝送装置１０１ｇは、ＣＰＵ３１５ｃ、メモリ３１７ｃ及び通信制御部３１９ｃを有している。ＣＰＵ３１５ｃは、メモリ３１７ｃに記憶されているプログラムを実行することによって、所定の機能を実現する。通信制御部３１９ｃは、制御ネットワークを介した通信を制御する。
【００２４】
続いて、従来技術における経路開通の手順について説明する。図６に、可変光減衰器３０７の調整を開始する前の状態を示す。上述した通り、ＷＤＭ光伝送装置１０１ａから順次ＷＤＭ光伝送装置１０１ｂ及びＷＤＭ光伝送装置１０１ｄを介してＷＤＭ光伝送装置１０１ｇに至る経路を開設するものとする。つまり、開設対象の経路において、ＷＤＭ光伝送装置１０１ａが送信ノードであり、ＷＤＭ光伝送装置１０１ｂ及びＷＤＭ光伝送装置１０１ｄが中継ノードであり、ＷＤＭ光伝送装置１０１ｇが受信ノードである。この場合、ＷＤＭ光伝送装置１０１ａの光送受信機３０１ａから送信された光信号が、ＷＤＭ光伝送装置１０１ｇの光送受信機３０１ｄにおいて受信される。
【００２５】
この経路中には、ＷＤＭ光伝送装置１０１ａの可変光減衰器３０７ａ、ＷＤＭ光伝送装置１０１ｂの可変光減衰器３０７ｂ、ＷＤＭ光伝送装置１０１ｂの可変光減衰器３０７ｃ、ＷＤＭ光伝送装置１０１ｄの可変光減衰器３０７ｂ、ＷＤＭ光伝送装置１０１ｄの可変光減衰器３０７ｃ及びＷＤＭ光伝送装置１０１ｇの可変光減衰器３０７ｄが含まれる。経路開設の手順において、これらの６個の可変光減衰器３０７が調整される。調整過程において、過度に強い光信号がＷＤＭ光伝送装置１０１ｇの光送受信機３０１ｄに到達しないようにする。
【００２６】
経路開設の手順の初期段階で、これらの６個のＷＤＭ光伝送装置１０１において当該光信号が遮断される。このようにすれば、ＷＤＭ光伝送装置１０１ｇの光送受信機３０１ｄに光信号は到達しない。
【００２７】
そして、送信側の可変光減衰器３０７ａから先に調整される。この例では、図７に示すようにＷＤＭ光伝送装置１０１ａの可変光減衰器３０７ａが調整される。具体的には、フィードバックを繰り返すことによって、可変光減衰器３０７ａから出力される光信号のパワーを目標値に近づける。尚、調整対象の可変光減衰器３０７から出力される光信号のパワーの目標値は、第１調整部７０１に予め設定されているものとする。
【００２８】
この調整で、光パワーモニタ３１３ａは、可変光減衰器３０７ａから出力される光信号のパワーを検出する。第１調整部７０１は、光パワーモニタ３１３ａで検出された当該パワーの実測値を取得する。第１調整部７０１は、目標値と実測値との差分に基づいて、可変光減衰器３０７ａにおける減衰量を修正する。この動作を繰り返し、目標値と実測値との差分の絶対値が閾値を下回るようになった段階で調整を終える。
【００２９】
図８の説明に移る。ＷＤＭ光伝送装置１０１ａの可変光減衰器３０７ａにおける出力パワーが目標レベルで維持されると、ＷＤＭ光伝送装置１０１ｂの可変光減衰器３０７ｂに入力される光信号のパワーも安定する。次に、ＷＤＭ光伝送装置１０１ｂの可変光減衰器３０７ｂの調整が行われる。ＷＤＭ光伝送装置１０１ｂの可変光減衰器３０７ｂも、ＷＤＭ光伝送装置１０１ａの可変光減衰器３０７ａの場合と同様に、フィードバックを繰り返すことによって出力される光信号のパワーを目標値に近づける。
【００３０】
図９の説明に移る。ＷＤＭ光伝送装置１０１ｂの可変光減衰器３０７ｂにおける出力パワーが目標レベルで維持されると、ＷＤＭ光伝送装置１０１ｂの可変光減衰器３０７ｃに入力される光信号のパワーも安定する。次に、ＷＤＭ光伝送装置１０１ｂの可変光減衰器３０７ｃの調整が行われる。ＷＤＭ光伝送装置１０１ｂの可変光減衰器３０７ｃも、フィードバックを繰り返すことによって出力される光信号のパワーを目標値に近づける。
【００３１】
同様に、順次ＷＤＭ光伝送装置１０１ｄの可変光減衰器３０７ｂ及びＷＤＭ光伝送装置１０１ｄの可変光減衰器３０７ｃも調整される。そして、最後に、図１０に示すように、最後段の可変光減衰器３０７（つまり、ＷＤＭ光伝送装置１０１ｇの可変光減衰器３０７ｄ）が調整される。
【００３２】
そして、図１１に示すように、最後段の可変光減衰器３０７ｄの調整を終えると全体の調整が完了する。このように、従来技術によれば経路に含まれる可変光減衰器３０７をすべて調整するまで経路の開通が完了しない。従って、経路開通に要する時間が長い。
【００３３】
続いて、本実施の形態における経路開通の手順について説明する。可変光減衰器３０７の調整を開始する前の状態は、図６に示した通りである。本実施の形態では、最後段の可変光減衰器３０７ｄだけ光信号を遮断させた状態で、その他の可変光減衰器３０７において暫定的なレベルで光信号を通過させる。最後段の可変光減衰器３０７ｄで光信号を遮断したままにすれば、その他の可変光減衰器３０７において暫定的なレベルで光信号を通過させても、光受信機として動作するＷＤＭ光伝送装置１０１ｄに光信号が到達しない。従って、強過ぎる光信号によってＷＤＭ光伝送装置１０１ｄが破壊されることはない。
【００３４】
この例では、図１２に示すように、最後段の可変光減衰器３０７ｄ以外の各可変光減衰器３０７に初期の減衰量を設定することによって、暫定レベルで光信号を通過させる。尚、減衰量の初期値は、各ＷＤＭ光伝送装置１０１において予め設定されているものとする。この段階で最後段の可変光減衰器３０７に入力される光信号のパワーは、暫定的ではあるが、安定している。
【００３５】
本実施の形態では、図１３に示すように、先に最後段の可変光減衰器３０７ｄを調整する。具体的には、従来技術と同様にフィードバックを繰り返すことによって、可変光減衰器３０７ｄから出力される光信号のパワーを目標値に近づける。最後段の可変光減衰器３０７ｄの調整が済むと、光受信機として動作するＷＤＭ光伝送装置１０１に目標レベルの光信号が入力されるようになる。このように、最初の調整が済めば暫定的ながら経路が開通することになる。つまり、経路疎通に要する時間が短くなる。
【００３６】
その後、改めて各可変光減衰器３０７の調整を行う。具体的には、送信側の光送受信機３０１ａから順次調整が行われる。この例では、図１４に示すようにＷＤＭ光伝送装置１０１ａの可変光減衰器３０７ａが最初に調整される。但し、可変光減衰器３０７ａの出力レベルが変動すると、最後段の可変光減衰器３０７ｄの入力レベルも変動する。その点を考慮して、可変光減衰器３０７ａにおける調整の影響を除くように最後段の可変光減衰器３０７ｄも調整する。これによって、最後段の可変光減衰器３０７ｄの出力レベルが変動しないようにする。
【００３７】
具体的には、図１４に示すように、ＳＤＮコントローラー２０１に設けられた第２調整部１４０１が、ＷＤＭ光伝送装置１０１ａの可変光減衰器３０７ａ及びＷＤＭ光伝送装置１０１ｇの可変光減衰器３０７ｄを同時に調整する。第２調整部１４０１は、光パワーモニタ３１３ａで検出された光信号のパワーの実測値を取得する。第２調整部１４０１は、可変光減衰器３０７ａにおける目標値と実測値との差分に基づいて、可変光減衰器３０７ａにおける減衰量を修正する。この動作を繰り返し、目標値と実測値との差分の絶対値が閾値を下回るようになった段階で調整を終える。
【００３８】
第２調整部１４０１は、可変光減衰器３０７ａにおける減衰量を修正するときに、ＷＤＭ光伝送装置１０１ｇの可変光減衰器３０７ｄにおける減衰量も修正する。可変光減衰器３０７ａにおける減衰量を増加させる場合には、可変光減衰器３０７ｄにおける減衰量を減少させる。他方、可変光減衰器３０７ａにおける減衰量を減少させる場合には、可変光減衰器３０７ｄにおける減衰量を増加させる。このようにすれば、可変光減衰器３０７ｄの出力レベルが維持される。
【００３９】
ＷＤＭ光伝送装置１０１ａの可変光減衰器３０７ａの調整を終えると、図１５に示すように、最後段の可変光減衰器３０７ｄで出力される光信号のパワーを目標値に合わせるように調整を行う。調整の方法は、上述したフィードバックの手順と同様である。このようにすれば、最後段の可変光減衰器３０７ｄから出力される光信号のパワーがより安定する。
【００４０】
次に、図１６に示すように、ＳＤＮコントローラー２０１の第２調整部１４０１が、ＷＤＭ光伝送装置１０１ｂの可変光減衰器３０７ｂ及びＷＤＭ光伝送装置１０１ｇの可変光減衰器３０７ｄを同時に調整する。第２調整部１４０１は、光パワーモニタ３１３ｂで検出された光信号のパワーの実測値を取得する。第２調整部１４０１は、可変光減衰器３０７ｂにおける目標値と実測値との差分に基づいて、可変光減衰器３０７ｂにおける減衰量を修正する。この動作を繰り返し、目標値と実測値との差分の絶対値が閾値を下回るようになった段階で調整を終える。
【００４１】
前述と同様に、第２調整部１４０１は、ＷＤＭ光伝送装置１０１ｂの可変光減衰器３０７ｂにおける減衰量を修正するときに、ＷＤＭ光伝送装置１０１ｇの可変光減衰器３０７ｄにおける減衰量を修正する。
【００４２】
ＷＤＭ光伝送装置１０１ｂの可変光減衰器３０７ｂの調整を終えると、図１７に示すように、最後段の可変光減衰器３０７ｄで出力される光信号のパワーを目標値に合わせるように調整を行う。
【００４３】
その後、ＷＤＭ光伝送装置１０１ｂの可変光減衰器３０７ｃ及びＷＤＭ光伝送装置１０１ｇの可変光減衰器３０７ｄを同時に調整して、更に最後段の可変光減衰器３０７ｄを単独で調整する。同様に、ＷＤＭ光伝送装置１０１ｄの可変光減衰器３０７ｂ及びＷＤＭ光伝送装置１０１ｇの可変光減衰器３０７ｄを同時に調整して、更に最後段の可変光減衰器３０７ｄを単独で調整する。最後に、ＷＤＭ光伝送装置１０１ｄの可変光減衰器３０７ｃ及びＷＤＭ光伝送装置１０１ｇの可変光減衰器３０７ｄを同時に調整して、更に最後段の可変光減衰器３０７ｄを単独で調整する。そして、図１１に示した状態に至る。以上で、本実施の形態に関する概要の説明を終える。
【００４４】
ＳＤＮコントローラー２０１及びＷＤＭ光伝送装置１０１の動作に関する説明に移る。図１８に、ＳＤＮコントローラー２０１のモジュール構成例を示す。ＳＤＮコントローラー２０１は、第２調整部１４０１の他に、送信部１８０１、受信部１８０３、受付部１８０５、収集部１８０７、第１指示部１８０９、第２指示部１８１１、第３指示部１８１３、経路テーブル記憶部１８２１、減衰器テーブル記憶部１８２３及び連結データ記憶部１８２５を有する。
【００４５】
第２調整部１４０１は、上述した通り経路に含まれる可変光減衰器３０７を調整する。送信部１８０１は、各種データをＷＤＭ光伝送装置１０１へ送信する。受信部１８０３は、ＷＤＭ光伝送装置１０１から各種データを受信する。受付部１８０５は、経路開通の要求を受け付ける。収集部１８０７は、経路に含まれる可変光減衰器３０７に関するデータを収集する。第１指示部１８０９は、可変光減衰器３０７における減衰量の最大化を指示する。第２指示部１８１１は、可変光減衰器３０７における減衰量の初期化を指示する第３指示部１８１３は、可変光減衰器３０７における減衰量の調整を指示する。
【００４６】
経路テーブル記憶部１８２１は、経路テーブルを記憶する。経路テーブルについては、図２０を用いて後述する。減衰器テーブル記憶部１８２３は、減衰器テーブルを記憶する。減衰器テーブルについては、図２２を用いて後述する。連結データ記憶部１８２５は、連結データを記憶する。連結データは、光信号を出力するＷＤＭ光伝送装置１０１における出力ポートの番号と、当該出力ポート３１１から伝送される光信号を入力するＷＤＭ光伝送装置１０１における入力ポート４０１の番号とを対応付けている。
【００４７】
上述した第２調整部１４０１、送信部１８０１、受信部１８０３、受付部１８０５、収集部１８０７、第１指示部１８０９、第２指示部１８１１及び第３指示部１８１３は、ハードウエア資源（例えば、図３７）と、以下で述べる処理をプロセッサに実行させるプログラムとを用いて実現される。
【００４８】
上述した経路テーブル記憶部１８２１、減衰器テーブル記憶部１８２３及び連結データ記憶部１８２５は、ハードウエア資源（例えば、図３７）を用いて実現される。
【００４９】
図１９に、ＳＤＮコントローラー２０１におけるメイン処理フローを示す。ＳＤＮコントローラー２０１の受付部１８０５は、例えば運用管理者の操作による経路開通の要求を受け付ける（Ｓ１９０１）。経路開通の要求には、送信ノード、中継ノード及び受信ノードを特定するノード識別子が含まれている。これらのノード識別子は、送信側から受信側に至る順に経路テーブルに設定される。また、経路開通の要求は、当該経路で使用される周波数を含んでいる。以下、当該周波数を指定周波数という。
【００５０】
図２０に、経路テーブルの例を示す。この例における経路テーブルは、経路に含まれるノードに対応するレコードを有している。経路テーブルのレコードは、ノード順番が格納されるフィールドと、ノード識別子が格納されるフィールドとを有している。
【００５１】
ノード順番は、送信側から受信側へ向かって順にノードを特定する。つまり、先頭のレコードは、送信ノードを特定する。末尾のレコードは、受信ノードを特定する。先頭のレコード及び末尾のレコード以外のレコードは、中継ノードを特定する。ノード識別子は、ノードを識別する。
【００５２】
この例は、ノード識別子：Ｎ１で識別されるＷＤＭ光伝送装置１０１ａ、ノード識別子：Ｎ２で識別されるＷＤＭ光伝送装置１０１ｂ、ノード識別子：Ｎ４で識別されるＷＤＭ光伝送装置１０１ｄ及びノード識別子：Ｎ７で識別されるＷＤＭ光伝送装置１０１ｇの順に連結する経路を特定する。
【００５３】
図１９の説明に戻る。ＳＤＮコントローラー２０１の収集部１８０７は、データ収集処理を実行する（Ｓ１９０３）。ＳＤＮコントローラー２０１の収集部１８０７は、データ収集処理において、経路に含まれる各ＷＤＭ光伝送装置１０１から当該ＷＤＭ光伝送装置１０１に含まれる可変光減衰器３０７に関するデータを収集する。
【００５４】
図２１に、データ収集処理フローを示す。ＳＤＮコントローラー２０１の収集部１８０７は、送信ノードに相当するＷＤＭ光伝送装置１０１における出力ポート番号を特定する（Ｓ２１０１）。具体的には、ＳＤＮコントローラー２０１の収集部１８０７は、次ノードと光伝送路を介して繋がる出力ポートの番号を連結データから読み取る。
【００５５】
ＳＤＮコントローラー２０１の収集部１８０７は、出力ポート番号を指定して、送信ノードに相当するＷＤＭ光伝送装置１０１に可変光減衰器３０７に関するデータを要求する（Ｓ２１０３）。具体的には、ＳＤＮコントローラー２０１の送信部１８０１が、出力ポート番号を指定した当該データの要求を、送信ノードに相当するＷＤＭ光伝送装置１０１宛に送信する。
【００５６】
ＳＤＮコントローラー２０１の収集部１８０７は、送信ノードに相当するＷＤＭ光伝送装置１０１における可変光減衰器３０７に関するデータを取得する。具体的には、ＳＤＮコントローラー２０１の受信部１８０３が、当該データを受信する。そして、ＳＤＮコントローラー２０１の収集部１８０７は、取得した当該データを減衰器テーブルに設定する（Ｓ２１０５）。
【００５７】
図２２に、減衰器テーブルの例を示す。減衰器テーブルは、開通対象の経路に含まれる各可変光減衰器３０７に対応するレコードを有している。減衰器テーブルのレコードは、減衰器順番が設定されるフィールドと、ノード識別子が設定されるフィールドと、内部順番が設定されるフィールドと、減衰器識別子が設定されるフィールドと、出力光信号パワーの目標値が設定されるフィールドと、減衰量の初期値が設定されるフィールドと、現在の減衰量が設定されるフィールドとを有している。
【００５８】
減衰器順番は、開通対象の経路に含まれる当該可変光減衰器３０７の順番である。減衰器順番は、開通対象の経路における送信側から受信側に向かって割り当てられる。ノード識別子は、当該可変光減衰器３０７を有するＷＤＭ光伝送装置１０１を特定する。内部順番は、ＷＤＭ光伝送装置１０１の内部における当該可変光減衰器３０７の順番である。内部順番は、ＷＤＭ光伝送装置１０１における光伝送の流れに沿って特定される。減衰器識別子は、当該可変光減衰器３０７を特定する。出力光信号パワーの目標値は、当該可変光減衰器３０７から出力される光信号のパワーに関する目標値である。減衰量の初期値は、当該可変光減衰器３０７において最初に設定される減衰量である。現在の減衰量は、当該可変光減衰器３０７において現在設定されている減衰量である。
【００５９】
図２１の説明に戻る。ＳＤＮコントローラー２０１の収集部１８０７は、中継ノードを順次１つ特定し（Ｓ２１０７）、当該中継ノードに相当するＷＤＭ光伝送装置１０１における入力ポート番号及び出力ポート番号を特定する（Ｓ２１０９）。具体的には、ＳＤＮコントローラー２０１の収集部１８０７は、前ノードと光伝送路を介して繋がる入力ポートの番号と、次ノードと光伝送路を介して繋がる出力ポートの番号とを、連結データから読み取る。
【００６０】
ＳＤＮコントローラー２０１の収集部１８０７は、入力ポート番号及び出力ポート番号を指定して、当該中継ノードに相当するＷＤＭ光伝送装置１０１に可変光減衰器３０７に関するデータを要求する（Ｓ２１１１）。具体的には、ＳＤＮコントローラー２０１の送信部１８０１が、入力ポート番号及び出力ポート番号を指定した当該データの要求を、当該中継ノードに相当するＷＤＭ光伝送装置１０１宛に送信する。端子Ａを介して、図２３に示したＳ２３０１の処理に移る。
【００６１】
ＳＤＮコントローラー２０１の収集部１８０７は、当該中継ノードに相当するＷＤＭ光伝送装置１０１における可変光減衰器３０７に関するデータを取得する。具体的には、ＳＤＮコントローラー２０１の受信部１８０３が、当該データを受信する。そして、ＳＤＮコントローラー２０１の収集部１８０７は、取得した当該データを減衰器テーブルに設定する（Ｓ２３０１）。
【００６２】
ＳＤＮコントローラー２０１の収集部１８０７は、未特定の中継ノードがあるか否かを判定する（Ｓ２３０３）。未特定の中継ノードがあると判定した場合には、端子Ｂを介して、図２１に示したＳ２１０７の処理に戻る。
【００６３】
一方、未特定の中継ノードがないと判定した場合には、ＳＤＮコントローラー２０１の収集部１８０７は、受信ノードに相当するＷＤＭ光伝送装置１０１における入力ポート番号を特定する（Ｓ２３０５）。具体的には、ＳＤＮコントローラー２０１の収集部１８０７は、前ノードと光伝送路を介して繋がる入力ポートの番号を連結データから読み取る。
【００６４】
ＳＤＮコントローラー２０１の収集部１８０７は、入力ポート番号を指定して、受信ノードに相当するＷＤＭ光伝送装置１０１に可変光減衰器３０７に関するデータを要求する（Ｓ２３０７）。具体的には、ＳＤＮコントローラー２０１の送信部１８０１が、入力ポート番号を指定した当該データの要求を、受信ノードに相当するＷＤＭ光伝送装置１０１宛に送信する。
【００６５】
ＳＤＮコントローラー２０１の収集部１８０７は、受信ノードに相当するＷＤＭ光伝送装置１０１における可変光減衰器３０７に関するデータを取得する。具体的には、ＳＤＮコントローラー２０１の受信部１８０３が、当該データを受信する。そして、ＳＤＮコントローラー２０１の収集部１８０７は、取得した当該データを減衰器テーブルに設定する（Ｓ２３０９）。データ収集処理を終え、呼び出し元のメイン処理に復帰する。
【００６６】
ここで、ＳＤＮコントローラー２０１の動作に関する説明を中断し、ＷＤＭ光伝送装置１０１の動作に関する説明に移る。
【００６７】
図２４に、ＷＤＭ光伝送装置１０１のモジュール構成例を示す。ＷＤＭ光伝送装置１０１は、第１調整部７０１の他に、送信部２４０１、受信部２４０３、第１提供部２４０５、第２提供部２４０７、第３提供部２４０９、第１設定部２４１１、第２設定部２４１３、応答部２４１５及び構成データ記憶部２４２１を有する。
【００６８】
第１調整部７０１は、上述した通り、フィードバックの繰り返しによって出力光信号のパワーを目的値に近づけるように可変光減衰器３０７を調整する。送信部２４０１は、各種データをＳＤＮコントローラー２０１へ送信する。受信部２４０３は、ＳＤＮコントローラー２０１から各種データを受信する。第１提供部２４０５は、送信ノードとして可変光減衰器３０７に関するデータをＳＤＮコントローラー２０１へ提供する。第２提供部２４０７は、中継ノードとして可変光減衰器３０７に関するデータをＳＤＮコントローラー２０１へ提供する。第３提供部２４０９は、受信ノードとして可変光減衰器３０７に関するデータをＳＤＮコントローラー２０１へ提供する。第１設定部２４１１は、可変光減衰器３０７に最大の減衰量を設定する。第２設定部２４１３は、可変光減衰器３０７に初期の減衰量を設定する。応答部２４１５は、可変光減衰器３０７から出力される光信号のパワーをＳＤＮコントローラー２０１へ応答する。構成データ記憶部２４２１は、ＷＤＭ光伝送装置１０１の内部構成に関する構成データを記憶する。
【００６９】
上述した第１調整部７０１、送信部２４０１、受信部２４０３、第１提供部２４０５、第２提供部２４０７、第３提供部２４０９、第１設定部２４１１、第２設定部２４１３及び応答部２４１５は、ハードウエア資源（例えば、図３乃至図５）と、以下で述べる処理をプロセッサに実行させるプログラムとを用いて実現される。
【００７０】
上述した構成データ記憶部２４２１は、ハードウエア資源（例えば、図３乃至図５）を用いて実現される。
【００７１】
図２５に、ＷＤＭ光伝送装置１０１におけるデータ提供処理（Ａ）フローを示す。データ提供処理（Ａ）では、ＷＤＭ光伝送装置１０１が送信ノードとして可変光減衰器３０７に関するデータをＳＤＮコントローラー２０１へ提供する。
【００７２】
ＷＤＭ光伝送装置１０１の受信部２４０３が、送信ノード宛の可変光減衰器３０７に関するデータ要求を受信すると（Ｓ２５０１）、ＷＤＭ光伝送装置１０１の第１提供部２４０５は、送信元として使用される光送受信機３０１から出力ポート３１１へ至る内部経路に含まれる可変光減衰器３０７に関するデータを構成データから抽出する（Ｓ２５０３）。
【００７３】
ＷＤＭ光伝送装置１０１の第１提供部２４０５は、ＷＤＭ光伝送装置１０１の送信部２４０１を介して、抽出した可変光減衰器３０７に関するデータをＳＤＮコントローラー２０１へ送信する（Ｓ２５０５）。そして、Ｓ２５０１に示した処理に戻って、上述した処理を繰り返す。
【００７４】
図２６に、ＷＤＭ光伝送装置１０１におけるデータ提供処理（Ｂ）フローを示す。データ提供処理（Ｂ）では、ＷＤＭ光伝送装置１０１が中継ノードとして可変光減衰器３０７に関するデータをＳＤＮコントローラー２０１へ提供する。
【００７５】
ＷＤＭ光伝送装置１０１の受信部２４０３が、中継ノード宛の可変光減衰器３０７に関するデータ要求を受信すると（Ｓ２６０１）、ＷＤＭ光伝送装置１０１の第２提供部２４０７は、入力ポート４０１から出力ポート３１１へ至る内部経路に含まれる可変光減衰器３０７に関するデータを構成データから抽出する（Ｓ２６０３）。
【００７６】
ＷＤＭ光伝送装置１０１の第２提供部２４０７は、ＷＤＭ光伝送装置１０１の送信部２４０１を介して、抽出した可変光減衰器３０７に関するデータをＳＤＮコントローラー２０１へ送信する（Ｓ２６０５）。そして、Ｓ２６０１に示した処理に戻って、上述した処理を繰り返す。
【００７７】
図２７に、ＷＤＭ光伝送装置１０１におけるデータ提供処理（Ｃ）フロー例を示す。データ提供処理（Ｃ）では、ＷＤＭ光伝送装置１０１が受信ノードとして可変光減衰器３０７に関するデータをＳＤＮコントローラー２０１へ提供する。
【００７８】
ＷＤＭ光伝送装置１０１の受信部２４０３が、受信ノード宛の可変光減衰器３０７に関するデータ要求を受信すると（Ｓ２７０１）、ＷＤＭ光伝送装置１０１の第３提供部２４０９は、入力ポート４０１から光送受信機３０１へ至る内部経路に含まれる可変光減衰器３０７に関するデータを抽出する（Ｓ２７０３）。
【００７９】
ＷＤＭ光伝送装置１０１の第３提供部２４０９は、ＷＤＭ光伝送装置１０１の送信部２４０１を介して、抽出した可変光減衰器３０７に関するデータをＳＤＮコントローラー２０１へ送信する（Ｓ２７０５）。
【００８０】
ＳＤＮコントローラー２０１の動作に関する処理についての説明に戻る。図１９に示したように、ＳＤＮコントローラー２０１の第１指示部１８０９は、開通対象の経路に含まれる複数の可変光減衰器３０７の各々について、当該可変光減衰器３０７を有するＷＤＭ光伝送装置１０１に当該可変光減衰器３０７における減衰量の最大化を指示する（Ｓ１９０５）。具体的には、ＳＤＮコントローラー２０１の送信部１８０１は、複数の可変光減衰器３０７の各々について、当該可変光減衰器３０７に関する減衰量の最大化指示を、当該可変光減衰器３０７を有するＷＤＭ光伝送装置１０１宛に送信する。
【００８１】
ＳＤＮコントローラー２０１の第２指示部１８１１は、最後段以外の可変光減衰器３０７の各々について、当該可変光減衰器３０７を有するＷＤＭ光伝送装置１０１に当該可変光減衰器３０７における減衰量の初期化を指示する（Ｓ１９０７）。具体的には、ＳＤＮコントローラー２０１の送信部１８０１は、最後段以外の可変光減衰器３０７の各々について、当該可変光減衰器３０７に関する減衰量の初期化指示を当該可変光減衰器３０７を有するＷＤＭ光伝送装置１０１宛に送信する。ＳＤＮコントローラー２０１の送信部１８０１は、初期化指示に当該可変光減衰器３０７に減衰量の初期値を含めるようにしてもよい。
【００８２】
ＳＤＮコントローラー２０１の第３指示部１８１３は、最後段の可変光減衰器３０７を有するＷＤＭ光伝送装置１０１に当該可変光減衰器３０７における調整、つまりフィードバック開始を指示する（Ｓ１９０９）。具体的には、ＳＤＮコントローラー２０１の送信部１８０１は、最後段の可変光減衰器３０７に関するフィードバックの開始指示を当該可変光減衰器３０７を有するＷＤＭ光伝送装置１０１宛に送信する。ＳＤＮコントローラー２０１の送信部１８０１は、フィードバックの開始指示に当該可変光減衰器３０７において出力される光信号のパワーの目標値を含めるようにしてもよい。
【００８３】
ＳＤＮコントローラー２０１の受信部１８０３が最後段の可変光減衰器３０７を有するＷＤＭ光伝送装置１０１からフィードバックの完了通知を受信すると（Ｓ１９１１）、ＳＤＮコントローラー２０１の第２調整部１４０１は、順次調整処理を実行する（Ｓ１９１３）。ＳＤＮコントローラー２０１の第２調整部１４０１は、順次調整処理において、受信側から順次可変光減衰器３０７に関する調整を行う。順次調整処理については、図３１を用いて後述する。順次調整処理を終えると、Ｓ１９０１に示した処理に戻って、上述した処理を繰り返す。
【００８４】
ここで、ＷＤＭ光伝送装置１０１の動作に関する説明に移る。図２８に、ＷＤＭ光伝送装置１０１における最大値設定処理フローを示す。ＷＤＭ光伝送装置１０１の受信部２４０３が、可変光減衰器３０７に関する減衰量の最大化指示を受信すると（Ｓ２８０１）、ＷＤＭ光伝送装置１０１の第１設定部２４１１は、指定された可変光減衰器３０７に最大の減衰量を設定する（Ｓ２８０３）。この結果、可変光減衰器３０７は、指定周波数の光信号を遮断するように動作する。そして、Ｓ２８０１に示した処理に戻って、上述した処理を繰り返す。
【００８５】
図２９に、ＷＤＭ光伝送装置１０１における初期値設定処理フローを示す。ＷＤＭ光伝送装置１０１の受信部２４０３が、可変光減衰器３０７に関する減衰量の初期化指示を受信すると（Ｓ２９０１）、ＷＤＭ光伝送装置１０１の第２設定部２４１３は、指定された可変光減衰器３０７に初期の減衰量を設定する（Ｓ２９０３）。この結果、可変光減衰器３０７は、暫定レベルの光信号を出力することになる。減衰量の初期化指示に減衰量の初期値が含まれている場合には、ＷＤＭ光伝送装置１０１の第２設定部２４１３は、当該初期値を用いるようにしてもよい。或いは、ＷＤＭ光伝送装置１０１の第２設定部２４１３は、自ら保持する減衰量の初期値を用いるようにしてもよい。そして、Ｓ２９０１に示した処理に戻って、上述した処理を繰り返す。
【００８６】
図３０に、ＷＤＭ光伝送装置１０１におけるフィードバック制御処理フローを示す。ＷＤＭ光伝送装置１０１の受信部２４０３が、可変光減衰器３０７におけるフィードバックの開始指示を受信すると（Ｓ３００１）、ＷＤＭ光伝送装置１０１の第１調整部７０１は、当該可変光減衰器３０７から出力される光信号のパワーの目標値を設定する（Ｓ３００３）。フィードバックの開始指示に目標値が含まれている場合には、ＷＤＭ光伝送装置１０１の第１調整部７０１は、当該初期値を用いるようにしてもよい。或いは、ＷＤＭ光伝送装置１０１の第１調整部７０１は、自ら保持する目標値を用いるようにしてもよい。
【００８７】
ＷＤＭ光伝送装置１０１の第１調整部７０１は、当該可変光減衰器３０７から出力される光信号のパワーを計測する光パワーモニタ３１３から当該パワーの実測値を得る（Ｓ３００５）。ＷＤＭ光伝送装置１０１の第１調整部７０１は、目標値から実測値を引いた差分を算出する（Ｓ３００７）。
【００８８】
ＷＤＭ光伝送装置１０１の第１調整部７０１は、当該差分の絶対値が閾値を下回ったか否かを判定する（Ｓ３００９）。当該差分の絶対値が閾値を下回っていないと判定した場合には、ＷＤＭ光伝送装置１０１の第１調整部７０１は、当該差分に応じて減衰量を修正する（Ｓ３０１１）。つまり、修正された減衰量が当該可変光減衰器３０７に設定される。そして、Ｓ３００５に示した処理に戻って、上述した処理を繰り返す。
【００８９】
一方、当該差分の絶対値が閾値を下回ったと判定した場合には、ＷＤＭ光伝送装置１０１の第１調整部７０１は、ＷＤＭ光伝送装置１０１の送信部２４０１を介して、フィードバックの完了通知を送信する（Ｓ３０１３）。そして、Ｓ３００１に示した処理に戻って、上述した処理を繰り返す。つまり、フィードバックの繰り返しを終える。
【００９０】
ここで、ＳＤＮコントローラー２０１の動作についての説明に戻る。図３１に、順次調整処理フローを示す。ＳＤＮコントローラー２０１の第２調整部１４０１は、送信側から順次可変光減衰器３０７を１つ特定する（Ｓ３１０１）。
【００９１】
ＳＤＮコントローラー２０１の第２調整部１４０１は、特定された可変光減衰器３０７から出力される光信号のパワーの実測値を要求する（Ｓ３１０３）。具体的には、ＳＤＮコントローラー２０１の送信部１８０１が、当該パワーの実測値に関する要求を、当該可変光減衰器３０７を有するＷＤＭ光伝送装置１０１宛に送信する。ＳＤＮコントローラー２０１の第２調整部１４０１は、当該パワーの実測値を取得する（Ｓ３１０５）。具体的には、ＳＤＮコントローラー２０１の受信部１８０３が、当該パワーの実測値を受信する。
【００９２】
ＳＤＮコントローラー２０１の第２調整部１４０１は、Ｓ３１０１で特定された可変光減衰器３０７から出力される光信号のパワーの目標値から取得した実測値を引いた差分を算出する（Ｓ３１０７）。ＳＤＮコントローラー２０１の第２調整部１４０１は、差分の絶対値が閾値を下回ったか否かを判定する（Ｓ３１０９）。
【００９３】
差分の絶対値が閾値を下回っていないと判定した場合には、ＳＤＮコントローラー２０１の第２調整部１４０１は、差分が０を超えるか否かを判定する（Ｓ３１１１）。
【００９４】
差分が０を超えると判定した場合、つまり差分が正である場合には、ＳＤＮコントローラー２０１の第２調整部１４０１は、第１パワー調整処理を実行する（Ｓ３１１３）。ＳＤＮコントローラー２０１の第２調整部１４０１は、第１パワー調整処理において、Ｓ３１０１で特定された可変光減衰器３０７の減衰量を徐々に減らして、当該可変光減衰器３０７から出力される光信号のパワーを目標値に合わせる。更に、ＳＤＮコントローラー２０１の第２調整部１４０１は、最後段の可変光減衰器３０７における減衰量を徐々に増やして、最後段の可変光減衰器３０７から出力される光信号のパワーを維持させる。第１パワー調整処理については、図３３及び図３４を用いて詳述する。そして、Ｓ３１０３に示した処理に戻って、上述した処理を繰り返す。
【００９５】
差分が０を超えていないと判定した場合、つまり差分が負である場合には、ＳＤＮコントローラー２０１の第２調整部１４０１は、第２パワー調整処理を実行する（Ｓ３１１５）。ＳＤＮコントローラー２０１の第２調整部１４０１は、第２パワー調整処理において、Ｓ３１０１で特定された可変光減衰器３０７の減衰量を徐々に増やして、当該可変光減衰器３０７から出力される光信号のパワーを目標値に合わせる。更に、ＳＤＮコントローラー２０１の第２調整部１４０１は、最後段の可変光減衰器３０７における減衰量を徐々に減らして、最後段の可変光減衰器３０７から出力される光信号のパワーを維持させる。第２パワー調整処理については、図３５及び図３６を用いて詳述する。そして、Ｓ３１０３に示した処理に戻って、上述した処理を繰り返す。
【００９６】
Ｓ３１０９に示した処理の説明に戻る。Ｓ３１０９において、差分の絶対値が閾値を下回ったと判定した場合には、ＳＤＮコントローラー２０１の第２調整部１４０１は、Ｓ３１０１で特定された可変光減衰器３０７が最後段の可変光減衰器３０７の前の可変光減衰器３０７であるか否かを判定する（Ｓ３１１７）。
【００９７】
Ｓ３１０１で特定された可変光減衰器３０７が最後段の可変光減衰器３０７の前の可変光減衰器３０７ではないと判定した場合、つまり最後段の可変光減衰器３０７以外に未だ処理対象になっていない可変光減衰器３０７が有る場合には、Ｓ３１０１に示した処理に戻って、上述した処理を繰り返す。
【００９８】
一方、Ｓ３１０１で特定された可変光減衰器３０７が最後段の可変光減衰器３０７の前の可変光減衰器３０７であると判定した場合、つまり最後段の可変光減衰器３０７以外に未だ処理対象になっていない可変光減衰器３０７が無い場合には、順次調整処理を終えて、呼び出し元のメイン処理に復帰する。
【００９９】
ここで、ＷＤＭ光伝送装置１０１の動作に関する説明に移る。図３２に、ＷＤＭ光伝送装置１０１における実測値応答処理フローを示す。ＷＤＭ光伝送装置１０１の受信部２４０３が、可変光減衰器３０７から出力される光信号のパワーの実測値に関する要求を受信すると（Ｓ３２０１）、ＷＤＭ光伝送装置１０１の応答部２４１５は、当該可変光減衰器３０７から出力される光信号のパワーを計測する光パワーモニタ３１３から当該パワーの実測値を得る（Ｓ３２０３）。
【０１００】
ＷＤＭ光伝送装置１０１の応答部２４１５は、ＷＤＭ光伝送装置１０１の送信部２４０１を介して、当該パワーの実測値をＳＤＮコントローラー２０１へ送信する（Ｓ３２０５）。そして、Ｓ３２０１に示した処理に戻って、上述した処理を繰り返す。
【０１０１】
ここで、ＳＤＮコントローラー２０１の動作についての説明に戻る。図３３に、第１パワー調整処理フローを示す。ＳＤＮコントローラー２０１の第２調整部１４０１は、図３１のＳ３１０１で特定された可変光減衰器３０７における現在の減衰量から所定調整値を引いて新たな減衰量を求める（Ｓ３３０１）。所定調整値は、例えば微小な値である。ＳＤＮコントローラー２０１の第２調整部１４０１は、当該可変光減衰器３０７における減衰量の修正を指示する（Ｓ３３０３）。具体的には、ＳＤＮコントローラー２０１の送信部１８０１が、当該可変光減衰器３０７を指定して新たな減衰量を含む修正指示を、当該可変光減衰器３０７を有するＷＤＭ光伝送装置１０１宛に送信する。
【０１０２】
ＳＤＮコントローラー２０１の第２調整部１４０１は、最後段の可変光減衰器３０７における現在の減衰量に所定調整値を加えて新たな減衰量を求める（Ｓ３３０５）。ＳＤＮコントローラー２０１の第２調整部１４０１は、最後段の可変光減衰器３０７における減衰量の修正を指示する（Ｓ３３０７）。具体的には、ＳＤＮコントローラー２０１の送信部１８０１が、最後段の可変光減衰器３０７を指定して新たな減衰量を含む修正指示を、最後段の可変光減衰器３０７を有するＷＤＭ光伝送装置１０１宛に送信する。
【０１０３】
ＳＤＮコントローラー２０１の第２調整部１４０１は、ＳＤＮコントローラー２０１の受信部１８０３が、図３１のＳ３１０１で特定された可変光減衰器３０７に関する減衰量修正の完了通知及び最後段の可変光減衰器３０７に関する減衰量修正の完了通知を受信するまで待つ（Ｓ３３０９）。端子Ｃを介して、図３４に示したＳ３４０１の処理に移る。
【０１０４】
ＳＤＮコントローラー２０１の第２調整部１４０１は、図３１のＳ３１０１で特定された可変光減衰器３０７における現在の減衰量を、Ｓ３３０１で求めた新たな減衰量に書き換える（Ｓ３４０１）。更に、ＳＤＮコントローラー２０１の第２調整部１４０１は、最後段の可変光減衰器３０７における現在の減衰量を、Ｓ３３０５で求めた新たな減衰量に書き換える（Ｓ３４０３）。
【０１０５】
ＳＤＮコントローラー２０１の第２調整部１４０１は、最後段の可変光減衰器３０７を有するＷＤＭ光伝送装置１０１に当該可変光減衰器３０７における調整、つまりフィードバック開始を指示する（Ｓ３４０５）。具体的には、ＳＤＮコントローラー２０１の送信部１８０１は、最後段の可変光減衰器３０７に関するフィードバックの開始指示を当該可変光減衰器３０７を有するＷＤＭ光伝送装置１０１宛に送信する。ＳＤＮコントローラー２０１の受信部１８０３が最後段の可変光減衰器３０７を有するＷＤＭ光伝送装置１０１からフィードバックの完了通知を受信すると（Ｓ３４０７）、第１パワー調整処理を終え、呼び出し元の順次調整処理に復帰する。
【０１０６】
図３５に、第２パワー調整処理フローを示す。ＳＤＮコントローラー２０１の第２調整部１４０１は、図３１のＳ３１０１で特定された可変光減衰器３０７における現在の減衰量に所定調整値を加えて新たな減衰量を求める（Ｓ３５０１）。ＳＤＮコントローラー２０１の第２調整部１４０１は、当該可変光減衰器３０７における減衰量の修正を指示する（Ｓ３５０３）。具体的には、ＳＤＮコントローラー２０１の送信部１８０１が、新たな減衰量を含む修正指示を、当該可変光減衰器３０７を有するＷＤＭ光伝送装置１０１宛に送信する。
【０１０７】
ＳＤＮコントローラー２０１の第２調整部１４０１は、最後段の可変光減衰器３０７における現在の減衰量から所定調整値を引いて新たな減衰量を求める（Ｓ３５０５）。ＳＤＮコントローラー２０１の第２調整部１４０１は、最後段の可変光減衰器３０７における減衰量の修正を指示する（Ｓ３５０７）。具体的には、ＳＤＮコントローラー２０１の送信部１８０１が、新たな減衰量を含む修正指示を、最後段の可変光減衰器３０７を有するＷＤＭ光伝送装置１０１宛に送信する。
【０１０８】
ＳＤＮコントローラー２０１の第２調整部１４０１は、ＳＤＮコントローラー２０１の受信部１８０３が、図３１のＳ３１０１で特定された可変光減衰器３０７に関する減衰量修正の完了通知及び最後段の可変光減衰器３０７に関する減衰量修正の完了通知を受信するまで待つ（Ｓ３５０９）。端子Ｄを介して、図３６に示したＳ３６０１の処理に移る。
【０１０９】
ＳＤＮコントローラー２０１の第２調整部１４０１は、図３１のＳ３１０１で特定された可変光減衰器３０７における現在の減衰量を、Ｓ３５０１で求めた新たな減衰量に書き換える（Ｓ３６０１）。更に、ＳＤＮコントローラー２０１の第２調整部１４０１は、最後段の可変光減衰器３０７における現在の減衰量を、Ｓ３５０５で求めた新たな減衰量に書き換える（Ｓ３６０３）。
【０１１０】
ＳＤＮコントローラー２０１の第２調整部１４０１は、最後段の可変光減衰器３０７を有するＷＤＭ光伝送装置１０１に当該可変光減衰器３０７における調整、つまりフィードバック開始を指示する（Ｓ３６０５）。具体的には、ＳＤＮコントローラー２０１の送信部１８０１は、最後段の可変光減衰器３０７に関するフィードバックの開始指示を当該可変光減衰器３０７を有するＷＤＭ光伝送装置１０１宛に送信する。ＳＤＮコントローラー２０１の受信部１８０３が最後段の可変光減衰器３０７を有するＷＤＭ光伝送装置１０１からフィードバックの完了通知を受信すると（Ｓ３６０７）、第２パワー調整処理を終え、呼び出し元の順次調整処理に復帰する。
【０１１１】
本実施の形態によれば、光伝送ネットワークにおける経路開通を早めることができる。
【０１１２】
また、経路を開通させた状態で光減衰器を調整することができる。
【０１１３】
以上本発明の一実施の形態を説明したが、本発明はこれに限定されるものではない。例えば、上述の機能ブロック構成はプログラムモジュール構成に一致しない場合もある。
【０１１４】
また、上で説明した各記憶領域の構成は一例であって、上記のような構成でなければならないわけではない。さらに、処理フローにおいても、処理結果が変わらなければ、処理の順番を入れ替えることや複数の処理を並列に実行させるようにしても良い。
【０１１５】
なお、上で述べたＳＤＮコントローラー２０１は、コンピュータ装置であって、図３７に示すように、メモリ２５０１とＣＰＵ２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【０１１６】
以上述べた本発明の実施の形態をまとめると、以下のようになる。
【０１１７】
本実施の形態に係るネットワーク制御装置は、自装置が管理する光伝送装置に含まれる複数の光減衰器の各々における減衰量を調整させるネットワーク制御装置であって、（Ａ）開通する経路における光信号を終端する光伝送装置が有する第１光減衰器において光信号を遮断させる指示を行う第１指示部と、（Ｂ）第１光減衰器における光信号が遮断された状態で、第１光減衰器を有する光伝送装置以外の経路上の光伝送装置が有する第２光減衰器の減衰量を所定値に設定させる指示を行う第２指示部と、（Ｃ）第２光減衰器において所定値の減衰量が設定された状態で、第１光減衰器における減衰量を調整させる指示を行う第３指示部とを有する。
【０１１８】
このようにすれば、光伝送ネットワークにおける経路開通を早めることができる。
【０１１９】
更に、ネットワーク制御装置は、所定値に設定された第２減衰器の減衰量の修正を順次指示すると共に、当該修正において当該減衰量を増加させる場合に第１光減衰器における減衰量の減少を指示し、当該修正において当該減衰量を減少させる場合に第１光減衰器における減衰量の増加を指示する調整部を有するようにしてもよい。
【０１２０】
このようにすれば、経路を開通させた状態で光減衰器を調整することができる。
【０１２１】
なお、上で述べたネットワーク制御装置による処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０１２２】
以上の実施例を含む実施形態に関し、さらに以下の付記を開示する。
【０１２３】
（付記１）
自装置が管理する光伝送装置に含まれる複数の光減衰器の各々における減衰量を調整させるネットワーク制御装置であって、
開通する経路における光信号を終端する光伝送装置が有する第１光減衰器において光信号を遮断させる指示を行う第１指示部と、
前記第１光減衰器における前記光信号が遮断された状態で、前記第１光減衰器を有する光伝送装置以外の前記経路上の光伝送装置が有する第２光減衰器の減衰量を所定値に設定させる指示を行う第２指示部と、
前記第２光減衰器において前記所定値の減衰量が設定された状態で、前記第１光減衰器における減衰量を調整させる指示を行う第３指示部と
を有するネットワーク制御装置。
【０１２４】
（付記２）
更に、
前記所定値に設定された前記第２減衰器の前記減衰量の修正を順次指示すると共に、当該修正において当該減衰量を増加させる場合に前記第１光減衰器における前記減衰量の減少を指示し、当該修正において当該減衰量を減少させる場合に前記第１光減衰器における前記減衰量の増加を指示する調整部
を有する付記１記載のネットワーク制御装置。
【０１２５】
（付記３）
自装置が管理する光伝送装置に含まれる複数の光減衰器の各々における減衰量を調整させるネットワーク制御装置により実行されるネットワーク制御方法であって、
開通する経路における光信号を終端する光伝送装置が有する第１光減衰器において光信号を遮断させる指示を行い、
前記第１光減衰器における前記光信号が遮断された状態で、前記第１光減衰器を有する光伝送装置以外の前記経路上の光伝送装置が有する第２光減衰器の減衰量を所定値に設定させる指示を行い、
前記第２光減衰器において前記所定値の減衰量が設定された状態で、前記第１光減衰器における減衰量を調整させる指示を行う
処理を含むネットワーク制御方法。
【０１２６】
（付記４）
自装置が管理する光伝送装置に含まれる複数の光減衰器の各々における減衰量を調整させるネットワーク制御装置に、
開通する経路における光信号を終端する光伝送装置が有する第１光減衰器において光信号を遮断させる指示を行い、
前記第１光減衰器における前記光信号が遮断された状態で、前記第１光減衰器を有する光伝送装置以外の前記経路上の光伝送装置が有する第２光減衰器の減衰量を所定値に設定させる指示を行い、
前記第２光減衰器において前記所定値の減衰量が設定された状態で、前記第１光減衰器における減衰量を調整させる指示を行う
処理を実行させるネットワーク制御プログラム。
【符号の説明】
【０１２７】
１０１  ＷＤＭ光伝送装置
２０１  ＳＤＮコントローラー
３０１  光送受信機
３０３  光合分波器
３０５  波長選択スイッチ
３０７  可変光減衰器
３０９  光アンプ
３１１  出力ポート
３１３  光パワーモニタ
３１５  ＣＰＵ
３１７  メモリ
３１９  通信制御部
４０１  入力ポート
７０１  第１調整部
１４０１  第２調整部
１８０１  送信部
１８０３  受信部
１８０５  受付部
１８０７  収集部
１８０９  第１指示部
１８１１  第２指示部
１８１３  第３指示部
１８２１  経路テーブル記憶部
１８２３  減衰器テーブル記憶部
１８２５  連結データ記憶部
２４０１  送信部
２４０３  受信部
２４０５  第１提供部
２４０７  第２提供部
２４０９  第３提供部
２４１１  第１設定部
２４１３  第２設定部
２４１５  応答部
２４２１  構成データ記憶部
【図１】
2018164127.tif 000003
【図２】
2018164127.tif 000004
【図３】
2018164127.tif 000005
【図４】
2018164127.tif 000006
【図５】
2018164127.tif 000007
【図６】
2018164127.tif 000008
【図７】
2018164127.tif 000009
【図８】
2018164127.tif 000010
【図９】
2018164127.tif 000011
【図１０】
2018164127.tif 000012
【図１１】
2018164127.tif 000013
【図１２】
2018164127.tif 000014
【図１３】
2018164127.tif 000015
【図１４】
2018164127.tif 000016
【図１５】
2018164127.tif 000017
【図１６】
2018164127.tif 000018
【図１７】
2018164127.tif 000019
【図１８】
2018164127.tif 000020
【図１９】
2018164127.tif 000021
【図２０】
2018164127.tif 000022
【図２１】
2018164127.tif 000023
【図２２】
2018164127.tif 000024
【図２３】
2018164127.tif 000025
【図２４】
2018164127.tif 000026
【図２５】
2018164127.tif 000027
【図２６】
2018164127.tif 000028
【図２７】
2018164127.tif 000029
【図２８】
2018164127.tif 000030
【図２９】
2018164127.tif 000031
【図３０】
2018164127.tif 000032
【図３１】
2018164127.tif 000033
【図３２】
2018164127.tif 000034
【図３３】
2018164127.tif 000035
【図３４】
2018164127.tif 000036
【図３５】
2018164127.tif 000037
【図３６】
2018164127.tif 000038
【図３７】
2018164127.tif 000039